(57)【特許請求の範囲】
【請求項１】
料金徴収装置と、
所定形状の空缶（３０）を利用者に提供する缶供給部（２）と、
利用者が缶供給部から入手し、所望の物品が投入された缶（３０）を密封する缶加工部（１）と、
上記缶供給部（２）によって販売される缶（３０）の底面及び側面の一部と略等しい形状の底面及び側面から成り、利用者が缶に入れたい物が缶に入るかどうかを缶の購入前に計測するために用いられる缶スケール（１４）と、
を備え、利用者が提供した物品を缶詰にして利用者に提供する缶詰機。
【請求項２】
利用者が入手する缶（３０）が、缶供給部から一旦払い出され、その中に利用者自らの手で所望の物品を投入した後、この缶（３０）を利用者自身が缶加工部（１）に装填する請求項１に記載の缶詰機。
【請求項３】
利用者が缶詰すべき物品を投入するホッパが設けられ、そのホッパ内の物品が缶供給部から提供される缶に自動的に缶詰される請求項１に記載の缶詰機。
【請求項４】
缶（３０）が、代金の支払いに応じて作動する缶販売機によって提供される請求項１ないし３のいずれか一に記載の缶詰機。
【請求項５】
缶供給部と、缶加工部が互いに別々の、缶販売機（５）と缶加工機（４）として形成される請求項１ないし４のいずれか一に記載の缶詰機。
【請求項６】
缶販売部（２）と、缶加工部（１）とが一体に構成される請求項１ないし６のいずれか一に記載の缶詰機。
【発明の詳細な説明】
【０００１】
【発明の属する技術分野】
本発明は、特に、所定の代金を支払うことによって、誰でも所望の物品を缶詰にできる缶詰機に関する。
【０００２】
【従来の技術】
従来、缶詰には、缶詰業者側によって定められた物品が封入されており、缶詰作業は、缶詰機を有する特定の業者にしか行うことができなかった。
このため、缶の中に個々人が用意した物品を入れ、密封して缶詰にすることはできなかった。
所望の物品を缶詰にできれば、洒落たラッピングとなり、また、容易にタイムカプセルを作ることができるようになる。
【０００３】
【発明が解決しようとする課題】
本発明は上記の問題を解決するためなされたものであり、その目的とするところは、利用者の用意した物品を缶詰できるようにすることにある。
【０００４】
【課題を解決するための手段】
上記の問題は、缶加工部の缶密封部で利用者が入手した所定の缶の密封加工を行う前に、その缶内に利用者が所望する物品を投入できるようにすることによって達成される。
具体的には、料金徴収装置と、所定形状の空缶を利用者に提供する缶供給部と、利用者が缶供給部から入手し、所望の物品が投入された缶を密封する缶加工部と、上記缶供給部によって販売される缶の底面及び側面の一部と略等しい形状の底面及び側面から成り、利用者が缶に入れたい物が缶に入るかどうかを缶の購入前に計測するために用いられる缶スケールと、を備え、利用者が提供した物品を缶詰にして利用者に提供する缶詰機によって達成される。
【０００５】
【発明の実施の形態】
以下、図面により本発明の詳細を説明する。
図１は本発明に係る缶詰機の第一実施例を示す斜視図、図２は図１に示した缶供給部によって供給される空缶の斜視図、図３及び図４は空缶販売時に空缶内部に入れられるラベルシールの平面図、図５は図１に示した缶加工部の安全シャッターを開けた状態を示す斜視図、図６は図５に示した缶密封部の斜視図、図７は図６に示した缶密封部の側面図、図８は図７に示した缶密封部の缶受け入れ状態を示す側面図、図９は図７に示した缶密封部に缶を嵌めた状態を示す側面図、図１０は図７に示した缶密封部に缶を装填した状態を示す側面図、図１１は図７に示した缶密封部の前処理工程の状態を示す上面図、図１２は図７に示した缶密封部の仕上げ処理工程の状態を示す上面図、図１３は図７に示した缶密封部の上面図、図１４は図７に示した缶密封部の缶の取り出し状態を示す側面図、図１５は図１に示した缶詰機の作動状態を示すフローチャート、図１６は本発明に係る缶詰機の第二実施例を示す正面図、図１７は図１６に示した缶詰機で加工される缶を販売する缶販売機の正面図である。
【０００６】
まず、図１について説明する。
図１に示した缶詰機は、缶加工部１と缶供給部２とから成る。
缶加工部１は、モニター１０と、安全シャッター１１と、缶購入用現金投入口１２と、缶加工用コントロールパネル１３と、缶スケール１４と、空缶取出口１５とを具備する。
モニター１０は、缶加工部１の正面上部に設けられ、各種操作説明、集客デモ等を映し出すものである。
【０００７】
安全シャッター１１は、缶加工部１の正面中央に設けられるが、この安全シャッター１１が設けられる領域は、他の領域よりも一段凹んでいる。
缶購入用現金投入口１２は、安全シャッター１１の前方に広がる水平面の右端に設けられる。
缶加工用コントロールパネル１３は、安全シャッター１１の前方に広がる水平面の中央に設けられ、缶加工用現金投入口１３０と、スタートスイッチ１３１とを具備する。
【０００８】
缶スケール１４は、加工用コントロールパネル１３の左側に設けられ、缶供給部２によって販売される缶３０によって画成される空間の底面及び側面の一部と略等しい形状の底面及び側面から成り、利用者が缶に入れたい物が缶に入るかどうかを計測するため用いられるものである。
空缶取出口１５は、缶加工部１の正面下部右寄りに設けられ、缶供給部２から供給される空缶の取出口である。
缶供給部２は、内部に最大５０個程度の空の缶及びその蓋をストックできるものであり、利用者の求めに応じて、空缶取出口１５に向けて缶及び蓋を一組ずつ送出する。
この缶供給部２の内部構造は、公知の缶入飲料などの自動販売機のものと略同様であるのでその説明は省略する。
【０００９】
この缶供給部２によって供給される缶３０及び蓋３１は、図２に示したように、蓋３１を締めた状態で粘着テープ３２によって仮止めされている。
この缶３０の内部には、図３及び図４に示したようなラベルシールが１枚ずつ入っている。
また、この缶３０の底面はプルトップになっており、密封された缶は缶切りを使わずに開けることができる。
【００１０】
而して、安全シャッター１１は、図５に示したように開くものであり、その内側には缶密封部１６が設けられている。
以下、図６ないし図１４に基づいて缶密封部１６について説明する。
この缶密封部１６の主要部は、傾動支柱１６０と、ギヤードモーター１６１と、受皿１６２と、蓋押さえ部１６３と、支腕１６４と、補助ローラー１６５と、加工腕１６６とから成る。
【００１１】
傾動支柱１６０は、図７に示したように、常時は鉛直な主体柱１６０ａの下端から手前に突出する支持腕１６０ｂを有する縦型略Ｌ字状の部材であり、この傾動支柱１６０は、缶加工部１内に固定される水平な支軸１６０ｃにより、図７に示した角度から図８に示した角度の範囲内を回動可能に軸支される。
ギヤードモーター１６１は、傾動支柱１６０の支持腕１６０ｂに設けられ、低速度、高トルクで回転する、常時は鉛直な上向きの出力軸を有する。
【００１２】
受皿１６２は、ギヤードモーター１６１の出力軸の上端に、その回転軸に対して直交するよう設けられ、ギヤードモーター１６１によって回転制御される。
この受皿１６２は、その上面中央には、図９に示したように、缶３０の底部を嵌め込み得る凹みを有する。
蓋押さえ部１６３は、常時は水平に配される支持円盤１６３ａと、支持円盤１６３ａの上面に設けられる支持ブロック１６３ｂと、支持円盤１６３ａの上面に安全シャッター１１側に突き出すよう設けられる装填ハンドル１６３ｃと、支持円盤１６３ａの下面に回転自在に設けられ、その下面に缶３０の蓋３１を押圧し得る回転盤１６３ｄとから成る。
【００１３】
この蓋押さえ部１６３は、図６に示したように、受皿１６２と同軸かつ平行になるよう四本の支腕１６４を介して傾動支柱１６０の上端近傍に取り付けられ、図１０に示したように、装填された缶３０の蓋３１を押圧して保持する。
補助ローラー１６５は、鉛直な回転軸を中心に回動するものであって、傾動支柱１６０が傾いていないときにその周面が蓋押さえ部１６３の回転盤１６３ｄの縁に接するよう傾動支柱１６０の左右に１個ずつ設けられるものである。
【００１４】
この補助ローラー１６５は、図示しない伝達機構を介してその回転軸にギヤードモーター１６１の動力が伝達されものであり、蓋押さえ部１６３の回転盤１６３ｄを受皿１６２の回転と同一方向に同一速度で回転させる。
加工腕１６６は、略Ｃ字状の平らな部材であり、その一方の端部には前処理ガイド１６６ａを有し、他の一方の端部には仕上げガイド１６６ｂを有する。
【００１５】
この加工腕１６６は、密封するために装填された缶３０の上縁と同じ高さに水平に配されるものであって、その中央部が、傾動支柱１６０の後背側に設けられる回転軸１６６ａに軸支され、常時は図６及び図１３に示したニュートラル位置にあって、前処理ガイド１６６ｂ及び仕上げガイド１６６ｃを、缶装填位置を中央に挟むよう保持するものである。
この加工腕１６６は、図１１及び図１２に示したように、缶３０の上縁を前処理ガイド１６６ｂ及び仕上げガイド１６６ｃが交互に押圧し得るよう、図示しない動力によって回動制御し得るものである。
【００１６】
以下、この缶加工部１及び缶供給部２から成る缶詰機の作動について説明する。
所望の物品が缶３０に入り切らないことがあるおそれがあるときは、まず、その物品を缶スケール１４に載せて、缶３０に収容できる大きさであることを確認しておく。
次いで、利用者が、缶加工部１の缶購入用現金投入口１２に所定の代金を投入すると、缶供給部２から蓋３１が仮止めされた缶３０が空缶取出口１５に送出される。
【００１７】
代金が投入されるまでは、モニター１０には、集客デモ及び操作方法の概略が表示されているが、代金投入があったときには、以下に示した、利用者が操作に戸惑うことがないよう、行うべき操作内容が順次表示されていく。
この缶３０を空缶取出口１５から取り出し、粘着テープ３２を剥ぎ取り、内部に入っているラベルシールを取り出し、缶３０の中に所望の物品を入れ、蓋３１を締める。
次に、図１５に示した通り、缶加工部１の缶加工用現金投入口１３０に代金を投入し、安全シャッター１１の把手を掴んでこれを開け、図５に示した状態にする。
【００１８】
そして、缶密封部１６の装填ハンドル１６３ｃを掴んで手前に引き出し、図８に示した状態とする。
次に、蓋を３１が嵌められた缶３０の底部を、図９に示したように、受皿１６２に嵌め、装填ハンドル１６３ｃを押し込んで、図１０に示した状態とする。
このとき、缶３０は、蓋３１が蓋押さえ部１６３によって下方に押圧されるので、がたつかないように保持される。
【００１９】
次に、安全シャッター１１を閉じ、スタートスイッチ１３１を押す。
そして、図示しないシャッターセンサーが安全シャッター１１が完全に閉じられていることを確認し、次に、図示しない缶センサーが、缶３０が所定の位置に正確に装填されていることを確認する。
このとき、安全シャッター１１が完全に閉じていなかったり、缶３０が所定の位置にないときには、モニター１０にエラーメッセージが表示され、安全シャッター１１の閉鎖操作又は缶３０の装填のやり直しを促す。
【００２０】
このやり直し操作が終了すると、モニター１０に再びスタートスイッチ１３１を押す旨の指示が表示される。
スタートスイッチ１３１が押され、缶３０が所定の位置に装填されていることが確認されれば、缶加工工程が始まる。
この工程では、まず、ギヤードモーター１６１が作動し、缶３０及び蓋３１が、受皿１６２及び回転盤１６３ｄによって所定の速度で一定方向に回転させられる。
【００２１】
次に、加工腕１６６が図１１に示したように回動し、缶３０の上縁が前処理ガイド１６６ｂでなめされる。
次に、加工腕１６６が図１２に示したように回動し、一度なめされた缶３０の上縁が、仕上げガイド１６６ｃによってなめられ、缶３０が密封される。
缶３０の密封が終了すると、加工腕１６６は図１３に示したニュートラル位置に戻り、缶加工工程が終了し、それと同時に、モニター１０に密封完了メッセージが表示される。
【００２２】
利用者は、モニター１０の表示に従って、安全シャッター１１を開け、図１４に示したように、装填ハンドル１６３ｃを掴んで引き出し、蓋押さえ部１６３を蓋３１から離し、缶詰機１内から密封された缶３０を取り出し、再び、缶密封部１６を缶加工部１内に押し込んで、安全シャッター１１を閉めればよい。
そして、必要に応じて、缶３０に添付されていたラベルシールを貼ってもよい。
この密封済みの缶３０は、底部に設けられている図示しないプルタブを引いて開缶することができる。
【００２３】
なお、上記の缶加工部１においては、缶加工工程中に安全シャッター１１が開けられたときには、加工作業が停止し、モニター１０には安全シャッターを閉じることを指示するエラーメッセージが表示される。
また、投入されている物品が缶３０のサイズよりも大きく、缶３０を装填したときに蓋３１がきちんと閉まらないときには、物品の入れ直しか変更を指示するエラーメッセージが表示される。
また、図示しない缶センサーによって装填された缶３０の変形が検知されたときには、缶の買い直しを指示するエラーメッセージが表示される。
【００２４】
これらのエラーメッセージが表示されたときには、モニター１０の指示に従ってそのエラー原因を取り除くための対応がなされない限り、缶加工工程が進行することはない。
さらに、缶供給部２にストックされている空缶がなくなったときには、モニター１０には、缶販売は行っていないことを知らせるメッセージが表示される。
このとき、缶供給部２の機能は停止するが、利用者の操作に応じて、缶加工部１は稼働するものである。
【００２５】
次に、図１６及び図１７に基づいて第二実施例について説明する。
この実施例においては、図１６に示した缶加工機４と図１７に示した缶販売機５は互いに別々に設置されるものである。
缶販売機５は、様々なサイズ及びデザインの空缶を販売するものであり、これらの缶には、図では省略してあるが、その胴部に様々なプリントが施されている。
また、この缶販売機５では、プリントが施されている空缶の他に、無地の空缶と、その缶に貼り付け得る様々なデザインのラベルも販売している。
缶加工機４は、その缶密封部に、缶販売機５によって販売される総てのサイズの缶を装填し得るものであり、装填された缶のサイズを検知して、その缶のサイズに合わせて密封加工を行うものである。
【００２６】
上記の如き缶詰機を、ゲームセンター等のアミューズメントスペースや、バラエティーグッズ売場、キャンディー等をバラ売りしているお菓子売場、百貨店の店内等に設置すれば、だれでも缶詰入りのプレゼントを容易に作ることができ、観光地に設置すれば、旅行の思い出の品を缶詰にして持ち帰ることができるようになり、さらに、タイムカプセルなどの制作に利用することもできる。
【００２７】
なお、本発明は上記の実施例に限定されるものではなく、例えば、缶加工機と缶販売機を別々に設ける場合、缶スケールは缶販売機に設けられるようにしてもよく、また、缶加工機と缶販売機は同じ比率で設ける必要はなく、例えば、缶加工機は缶販売機よりも多く設置してもよく、また、缶は人の手によって販売してもよい。
また、缶の蓋を缶加工機内部にストックしておき、缶供給部から缶のみを提供し、缶加工機には利用者が物品を投入した缶を装填し、缶加工機内部でその缶に蓋をして密封するようにしてもよく、また、缶及び蓋を缶加工機内部にストックしておき、利用者が缶加工機に設けられたホッパーに所望の物品を投入すれば、その物品が自動的に缶に投入され、缶詰にされるようにしてもよい。
【００２８】
また、缶詰加工のための代金は、缶の代金に含むようにしてもよく、また、安全シャッターの開閉や、缶加工部の移動は、その一部又は全部を自動的に行うようにしてもよく、また、加工状況が見えるよう、安全シャッターを透明に構成してもよく、缶の装填、取り出し時以外は、安全シャッターが開かないようロックするようにしてもよい。
また、缶供給部にストックし得る缶の数は５０個に限定されず、また、希望者にのみラベルシールを添付するようにしてもよく、また、様々なタイプのラベルシールを販売してもよい。
【００２９】
また、缶密封部は缶を密封できるものであればどのようなものであってもよく、また、缶はプルタブ形式ではなく、缶切りを使って開缶するようにしてもよく、さらに、モニターの表示内容や、モニター、安全シャッター、缶密封部、現金投入口、スタートスイッチ、缶スケール、空缶取出口等の配置や形状等は本発明の目的の範囲内で自由に設計変更できるものであり、本発明は上記の説明から当業者が容易に想到し得る総ての変更実施例を包摂するものである。
【００３０】
【発明の効果】
本発明に係る缶詰機は上記の如く構成されるので、本発明によるときは、だれでも気軽に所望の物品を缶詰にすることができる。
【図面の簡単な説明】
【図１】本発明に係る缶詰機の第一実施例を示す斜視図である。
【図２】図１に示した缶供給部によって供給される空缶の斜視図である。
【図３】空缶販売時に空缶内部に入れられるラベルシールの平面図である。
【図４】空缶販売時に空缶内部に入れられるラベルシールの平面図である。
【図５】図１に示した缶加工部の安全シャッターを開けた状態を示す斜視図である。
【図６】図５に示した缶密封部の斜視図である。
【図７】図６に示した缶密封部の側面図である。
【図８】図７に示した缶密封部の缶受け入れ状態を示す側面図である。
【図９】図７に示した缶密封部に缶を嵌めた状態を示す側面図である。
【図１０】図７に示した缶密封部に缶を装填した状態を示す側面図である。
【図１１】図７に示した缶密封部の前処理工程の状態を示す上面図である。
【図１２】図７に示した缶密封部の仕上げ処理工程の状態を示す上面図である。
【図１３】図７に示した缶密封部の上面図である。
【図１４】図７に示した缶密封部の缶の取り出し状態を示す側面図である。
【図１５】図１に示した缶詰機の作動状態を示すフローチャートである。
【図１６】本発明に係る缶詰機の第二実施例を示す正面図である。
【図１７】図１６に示した缶詰機で加工される缶を販売する缶販売機の正面図である。
【符号の説明】
１・・・・・缶加工部
１０・・・・モニター
１１・・・・安全シャッター
１２・・・・缶購入用現金投入口
１３・・・・缶加工用コントロールパネル
１３０・・・缶加工用現金投入口
１３１・・・スタートスイッチ
１４・・・・缶スケール
１５・・・・空缶取出口
１６・・・・缶密封部
１６０・・・傾動支柱
１６０ａ・・主体柱
１６０ｂ・・支持腕
１６０ｃ・・支軸
１６１・・・ギヤードモーター
１６２・・・受皿
１６３・・・蓋押さえ部
１６３ａ・・支持円盤
１６３ｂ・・支持ブロック
１６３ｃ・・装填ハンドル
１６３ｄ・・回転盤
１６４・・・支腕
１６５・・・補助ローラー
１６６・・・加工腕
１６６ａ・・回転軸
１６６ｂ・・前処理ガイド
１６６ｃ・・仕上げガイド
２・・・・・缶供給部
３０・・・・缶
３１・・・・蓋
３２・・・・粘着テープ
４・・・・・缶加工機
５・・・・・缶販売機
【図１】
0003734195.tif 000002
【図２】
0003734195.tif 000003
【図３】
0003734195.tif 000004
【図４】
0003734195.tif 000005
【図５】
0003734195.tif 000006
【図６】
0003734195.tif 000007
【図７】
0003734195.tif 000008
【図８】
0003734195.tif 000009
【図９】
0003734195.tif 000010
【図１０】
0003734195.tif 000011
【図１１】
0003734195.tif 000012
【図１２】
0003734195.tif 000013
【図１３】
0003734195.tif 000014
【図１４】
0003734195.tif 000015
【図１５】
0003734195.tif 000016
【図１６】
0003734195.tif 000017
【図１７】
0003734195.tif 000018